(57)【要約】【課題】電子掲示板の記事に含まれる情報を管理する。【解決手段】新規記事受付手段１２が受け付けた電子掲示板の新規記事は、予め規定された形式によって蓄積対象の蓄積情報が記述されている。記事解析手段１３は、受け付けられた新規記事を、この新規記事の電子掲示板との関係情報などとともに記事情報ＤＢ１１ａに格納し、予め規定された形式に基づいて新規記事から抽出された蓄積情報を蓄積情報ＤＢ１１ｂに格納する。そして、電子掲示板に投稿された記事の提供が要求されたときは、記事情報提供手段１４が、記事情報ＤＢ１１ａに蓄積された記事情報を読み出し、所定の形式に編集して要求元に提供する。また、蓄積情報の提供が要求されたときは、蓄積情報提供手段１５が、蓄積情報ＤＢ１１ｂに蓄積された蓄積情報を読み出し、所定の形式に編集して要求元に提供する。【選択図】図１
2009230646.tif 000002
【特許請求の範囲】
【請求項１】
電子掲示板に投稿された情報を管理する電子掲示板処理装置において、
予め規定された形式によって蓄積対象の蓄積情報が記述されて所定の電子掲示板に書き込まれた新規記事を受け付ける新規記事受付手段と、
前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する記事解析手段と、
前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する記事情報提供手段と、
前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する蓄積情報提供手段と、
を有することを特徴とする電子掲示板処理装置。
【請求項２】
利用者が前記電子掲示板を作成するときに、前記電子掲示板に書き込まれる前記新規記事の入力書式を、前記蓄積情報に指定される蓄積情報部と、前記蓄積情報に指定されないコメント情報部とに分けて定義したテンプレートを前記利用者に設定させ、設定された前記テンプレートを前記電子掲示板に関連付けてテンプレート記憶手段に格納するテンプレート設定手段をさらに有し、
前記新規記事受付手段は、前記新規記事の書き込み要求を受け付けると、前記電子掲示板に設定される前記テンプレートを前記テンプレート記憶手段から抽出し、抽出された前記テンプレートに基づいて前記蓄積情報を入力するための蓄積情報入力部と、前記コメント情報を入力するためのコメント情報入力部とを有する記事入力画面を提供し、
前記記事解析手段は、前記テンプレートに基づいて前記蓄積情報入力部に入力された情報を前記蓄積情報記憶手段に格納し、前記コメント情報入力部に入力された情報を前記記事情報記憶手段に格納するとともに、前記蓄積情報と前記コメント情報とを前記新規記事に関連付けたリンク情報を生成し、前記記事情報記憶手段に格納する、
ことを特徴とする請求項１記載の電子掲示板処理装置。
【請求項３】
前記テンプレート設定手段は、前記テンプレート記憶手段に格納される既登録のテンプレートを読み出し、前記既登録のテンプレートの一覧を前記利用者に提供し、前記既登録のテンプレートの一覧から所望の前記テンプレートを前記利用者に選択させ、選択された前記テンプレートを当該電子掲示板に設定されるテンプレートとする、ことを特徴とする請求項２記載の電子掲示板処理装置。
【請求項４】
前記記事情報提供手段は、所定の記事の前記リンク情報を読み出し、前記リンク情報に基づいて対応する前記蓄積情報と前記コメント情報とを抽出し、前記蓄積情報と前記コメント情報とを合わせて表示用の記事情報を生成し、前記記事情報を前記関係情報に基づいて編集した表示画面を作成し、前記要求元へ提供する、
ことを特徴とする請求項２記載の電子掲示板処理装置。
【請求項５】
前記蓄積情報提供手段は、前記電子掲示板に関する前記新規記事が投稿されるごとに前記蓄積情報記憶手段に格納された蓄積情報を所定の条件で抽出し、抽出された蓄積情報群を前記所定の蓄積情報提供形式に編集し、前記蓄積情報群の情報を一覧表示させる表示画面を作成し、前記要求元へ提供する、
ことを特徴とする請求項２記載の電子掲示板処理装置。
【請求項６】
前記蓄積情報提供手段は、前記蓄積情報の種別が数値データである場合には、必要に応じて、前記蓄積情報群の数値データをグラフ化した表示画面を作成し、前記要求元へ提供する、
ことを特徴とする請求項５記載の電子掲示板処理装置。
【請求項７】
電子掲示板に投稿された情報を管理する情報管理処理をコンピュータに実行させるための情報管理プログラムにおいて、
コンピュータを、
予め規定された形式によって蓄積対象の蓄積情報が記述されて所定の電子掲示板に書き込まれた新規記事を受け付ける新規記事受付手段、
前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する記事解析手段、
前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する記事情報提供手段、
前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する蓄積情報提供手段、
として機能させることを特徴とする情報管理プログラム。
【請求項８】
電子掲示板に投稿された情報を管理する情報管理方法において、
新規記事受付手段が、予め規定された形式によって蓄積対象の蓄積情報が記述されて所定の電子掲示板に書き込まれた新規記事を受け付ける手順と、
記事解析手段が、前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する手順と、
記事情報提供手段が、前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する手順と、
蓄積情報提供手段が、前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する手順と、
を有することを特徴とする情報管理方法。
【発明の詳細な説明】
【技術分野】
【０００１】
本発明は電子掲示板処理装置、その情報管理プログラム及びその情報管理方法に関し、特に電子掲示板に投稿された情報を管理する電子掲示板処理装置、その情報管理プログラム及びその情報管理方法に関する。
【背景技術】
【０００２】
従来、電子掲示板は、参加者が自由に文章などを投稿し、書き込みを連ねていくことで意見を交換するコミュニケーション・ツールとして広く用いられていた。さらに、ある話題について様々な情報が参加者から寄せられることや、自由にアクセス可能であることなどから、情報収集や情報共有ツールとしても用いられるようになってきている。
【０００３】
電子掲示板では、参加者から投稿された情報（以下、これを記事と呼ぶ）は、電子掲示板と記事、及び記事と他の記事との関係を示すリンク情報が生成される。これにより、記事は、時系列、あるいは記事の参照関係に基づいて並べられ、参加者が一覧できるように表示される。図１６は、従来の電子掲示板の一例を示した図である。
【０００４】
図の例では、記事９０１は、投稿者名９０１ａと、内容９０１ｂとから構成されている。他の記事９０２，９０３，９０４についても同様である。また、記事９０１，９０２，９０３，９０４は、部分ツリーを構成しており、記事９０１から順に時系列に並べられている。記事９０１，９０２，９０３，９０４の内容部分は、会話のような文字列で構成されており、時系列に沿って記事を閲覧すると、参加者間の会話の流れを把握することができる。
【０００５】
しかし、このようなツリーは、所定の話題ごとに作成される。このため、参加者が他の話題の電子掲示板の記事を参照してもらいたいと考えても、一方の電子掲示板の一部記事または記事グループを他方の電子掲示板のツリーに組み込むことはできない。そこで、記事間のリンク情報を操作することにより、記事単位、部分ツリー単位での移動、コピー、削除などを可能とし、電子掲示板の記事を柔軟に整理できるようにする電子掲示板処理装置が提案されている（たとえば、特許文献１参照）。
【特許文献１】特開２００６−２４１４５号公報（図１）
【発明の開示】
【発明が解決しようとする課題】
【０００６】
従来の電子掲示板処理装置では、上述のように、関連する記事グループは同一のツリーに組み込まれており、記事間のリンク情報に基づいて記事を辿っていくことはできる。しかし、記事の中からある情報を探し出したり、抽出したりすることは容易ではない。たとえば、図１６の記事９０２は、記事９０１についての参加者Ａのコメントである。同様に、記事９０４も記事９０３に対するコメントである。コメントの内容から参加者Ａは、それぞれの記事９０１，９０３で提示したデータを、同じ参加者が示した過去のデータと比較していることがわかる。この過去のデータを参照したい場合には、リンクを順に辿って探さなければならないが、検索は容易ではない。他にも、記事の中に書かれていたＵＲＬ（Uniform Resource Locator）や、画像データなど、後で活用したい情報が含まれていることが多いが、これらの情報も探し出すことは容易ではない。
【０００７】
また、電子掲示板処理装置では、記事全体をひとつの文字列情報として管理している。このため、記事９０１のように、データ（図の例では、参加者の体重などの記録）が含まれていても、データ部分とコメント部分とを自動的に識別することはできない。データの情報管理を行うためには、利用者が各記事を閲覧してデータ部分を取り出すという煩雑な作業が必要となる。
【０００８】
このように、後になって記事の情報を有効活用しようとした場合、従来の情報管理方法では所望の情報を検出するために煩雑な作業が必要になる。
本発明はこのような点に鑑みてなされたものであり、記事に含まれる情報を管理し、電子掲示板を情報収集や情報共有に有効なツールとすることが可能な電子掲示板処理装置、その情報管理プログラム及びその情報管理方法を提供することを目的とする。
【課題を解決するための手段】
【０００９】
上記課題を解決するために、新規記事受付手段、記事解析手段、記事情報提供手段、及び蓄積情報提供手段を有し、電子掲示板に投稿された情報を管理する電子掲示板処理装置が提供される。新規記事受付手段は、予め規定された形式によって蓄積対象の蓄積情報が記述されて所定の電子掲示板に書き込まれた新規記事を受け付ける。記事解析手段は、新規記事を解析して、予め規定された形式で記述される蓄積情報を抽出し、抽出された蓄積情報を蓄積情報記憶手段に格納するとともに、新規記事と、電子掲示板または既存の記事と、の関係を記述した関係情報を生成し、新規記事とともに記事情報記憶手段に格納する。記事情報提供手段は、電子掲示板に投稿された記事の提供が要求されたときは、電子掲示板の記事及び関係情報を記事情報記憶手段から読み出し、関係情報に基づいて記事を所定の記事提供形式に編集して要求元へ提供する。蓄積情報提供手段は、電子掲示板に投稿された記事から抽出された蓄積情報の提供が要求されたときは、電子掲示板に関する蓄積情報を蓄積情報記憶手段から抽出し、抽出された蓄積情報を所定の蓄積情報提供形式に編集して要求元へ提供する。
【００１０】
このような電子掲示板処理装置によれば、電子掲示板に投稿された新規記事は、新規記事と電子掲示板との関係情報などとともに記事情報記憶手段に格納される。また、新規記事から予め規定された形式で記述されている蓄積情報が抽出され、蓄積情報記憶手段に格納される。そして、電子掲示板に投稿された記事の提供が要求されたときは、記事情報記憶手段に蓄積された記事情報が読み出され、所定の形式に編集して要求元に提供される。また、蓄積情報の提供が要求されたときは、蓄積情報手段に蓄積された蓄積情報が読み出され、所定の形式に編集して要求元に提供される。
【００１１】
また、上記課題を解決するために、コンピュータを上記電子掲示板処理装置と同様に機能させる情報管理プログラムと、上記の電子掲示板処理装置の情報管理処理と同様の処理手順を実行させる情報管理方法、が提供される。
【発明の効果】
【００１２】
開示の電子掲示板処理装置、その情報管理プログラム及びその情報管理方法によれば、記事に含まれる所望の情報を抽出して別途管理し、必要に応じて利用することが可能となる。この結果、電子掲示板を情報収集や情報共有に有効なツールとして役立てることができる。
【発明を実施するための最良の形態】
【００１３】
以下、本発明の実施の形態を図面を参照して説明する。
図１は、実施の形態に適用される電子掲示板処理装置の概略を示した図である。
電子掲示板の情報を管理する電子掲示板処理装置１０は、記憶手段１１、新規記事受付手段１２、記事解析手段１３、記事情報提供手段１４、及び蓄積情報提供手段１５を有し、ネットワークを介してクライアント２０に接続する。なお、電子掲示板処理装置１０の各処理手段は、コンピュータが情報管理プログラムを実行することにより、その処理機能を実現する。
【００１４】
記憶手段１１は、電子掲示板に投稿された記事に関する情報を記憶するメモリで、記事情報データベース（以下、ＤＢとする）１１ａ及び蓄積情報ＤＢ１１ｂを有する。記事情報ＤＢ１１ａは、電子掲示板に投稿された新規記事の記事情報を電子掲示板と記事との関係、記事間の関係などの関係情報とともに格納する。なお、格納される記事情報は、新規記事全体であっても、新規記事から蓄積情報を除いた部分であってもよい。蓄積情報ＤＢ１１ｂは、記事解析手段１３によって記事情報から抽出された蓄積情報を格納する。
【００１５】
新規記事受付手段１２は、クライアント２０によって、所定の電子掲示板に書き込まれた新規記事の受付処理を行う。新規記事に蓄積情報が含まれる場合は、予め規定された形式によって蓄積情報が記述されている。たとえば、蓄積情報の前と後に予め決められた所定の記号を配置し、所定の記号に囲まれたデータ範囲を蓄積情報と規定しておくことができる。また、蓄積情報を画像データなどの所定の形式のファイルと規定しておくこともできる。さらに、蓄積される情報部分と、それ以外の部分とをテンプレートに定義し、このテンプレートを予め登録しておくこともできる。
【００１６】
記事解析手段１３は、新規記事受付手段１２が受け付けた新規記事を解析して、予め規定された形式で記述される蓄積情報を抽出する。所定の記号によってデータ範囲が示されている場合は、この記号を検索して検索された範囲を蓄積情報部分とする。予め決められたテンプレートで記事が作成されている場合は、そのテンプレートに従って蓄積情報を抽出する。また、記事に添付された画像データが蓄積対象であれば、添付されている画像データを抽出する。そして、抽出した蓄積情報を蓄積情報ＤＢ１１ｂに格納する。また、新規記事と電子掲示板、または新規記事と既存の記事との関係などを記述した関係情報を生成し、新規記事の記事情報とともに記事情報ＤＢ１１ａに格納する。
【００１７】
記事情報提供手段１４は、クライアント２０から電子掲示板に投稿された記事の提供が要求されると、記事情報ＤＢ１１ａから要求された電子掲示板の記事と関係情報とを読み出す。そして、読み出した関係情報に基づいて、記事情報を所定の記事提供形式に編集し、クライアント２０に送信する。
【００１８】
蓄積情報提供手段１５は、クライアント２０から電子掲示板に投稿された記事から抽出された蓄積情報の提供が要求されると、蓄積情報ＤＢ１１ｂから該当する蓄積情報を抽出する。そして、抽出された蓄積情報を所定の蓄積情報提供形式に編集し、クライアント２０に送信する。
【００１９】
このような構成の電子掲示板処理装置１０の動作及び情報管理方法について説明する。
電子掲示板に書き込まれる記事は、記事情報から抽出して別途蓄積したい蓄積情報は、他の部分と区別ができるように、予め規定された所定の形式で記述されている。所定の形式は、予め参加者に通知されているか、参加者が新規記事を書込むときに通知されるとする。この電子掲示板処理装置１０は、この所定の形式を電子掲示板ごとに管理している。
【００２０】
参加者は、クライアント２０を操作して所定の電子掲示板に新規記事を書き込む。このとき、新規記事に蓄積対象の蓄積情報が含まれる場合は、予め規定される所定の形式で蓄積情報の範囲を明示しておく。こうして、クライアント２０によって、予め規定された形式によって蓄積情報が記述される新規記事が生成され、電子掲示板処理装置１０に送られる。電子掲示板処理装置１０では、新規記事受付手段１２が新規記事を受け付け、記事解析手段１３へ送る。記事解析手段１３は、受け付けられた新規記事を解析し、新規記事から蓄積情報を抽出して蓄積情報ＤＢ１１ｂに格納する。また、蓄積情報とこの新規記事との関係、及び新規記事と電子掲示板または既存の記事との関係を記述した関係情報を生成し、新規記事とともに記事情報ＤＢ１１ａに格納する。このような手順が繰り返されることにより、記憶手段１１に記事情報及び蓄積情報が蓄積されていく。
【００２１】
そして、クライアント２０から電子掲示板に投稿された記事の提供が要求されると、記事情報提供手段１４は、要求された電子掲示板の記事情報と、関係情報とを記事情報ＤＢ１１ａから読み出す。そして、記事情報を読み出した関係情報に基づいて所定の記事提供形式に編集する。たとえば、記事を時系列、あるいは参照関係で並び変える編集を行って提供用の記事情報を生成する。生成した提供用の記事情報は、クライアント２０に送信する。クライアント２０は、要求した電子掲示板の記事一覧を画面に表示する。このときの記事一覧は、従来の電子掲示板の表示画面と同等の画面である。これにより、参加者は、記事を時系列あるいは参照関係に基づいて並べられた記事を読むことができ、記事の流れを把握することができる。
【００２２】
一方、クライアント２０から電子掲示板に投稿された記事から抽出された蓄積情報の提供が要求されると、蓄積情報提供手段１５は、蓄積情報ＤＢ１１ｂから該当する蓄積情報を抽出する。そして、抽出された蓄積情報を所定の提供形式に編集し、提供用の蓄積情報をクライアント２０に送信する。クライアント２０は、要求した蓄積情報を所定の表示形式で画面に表示する。これにより、参加者は記事より抽出された蓄積情報を画面で確認することができる。蓄積情報の表示の詳細は後述する。
【００２３】
以上、電子掲示板処理装置１０によれば、受け付けた新規記事は、記事解析手段１３によって蓄積対象の蓄積情報部分が抽出され、記事情報とは別に蓄積・管理される。これにより、クライアント２０では、時系列あるいは参照関係に応じて記事を一覧表示させるばかりでなく、予め設定された規定に基づいて記事から抽出され、蓄積された情報を表示させることができる。後で参照した情報の記述形式を予め設定しておけば、蓄積情報としてこの情報のみが収集され、参照可能になる。このように、電子掲示板を情報収集や情報共有に有効なツールとして用いることが可能となる。
【００２４】
なお、どのような情報を蓄積情報とするかは任意である。文字データ、数値データ、画像データなど、どのような情報を指定してもよい。たとえば、参加者から教えてもらったＵＲＬを蓄積したい場合には、「ＵＲＬを含む蓄積したい情報の範囲を二重引用符で囲む」と定義し、定義を電子掲示板処理装置１０に登録し、参加者には、登録の記述方式で記述を行ってもらう。電子掲示板処理装置１０は、受け付けた記事から二重引用符で囲まれた範囲を検出し、これを蓄積情報として蓄積していけば、引用されたＵＲＬをすべて蓄積することができる。これを一覧表示させれば、引用されたＵＲＬの情報を簡単に収集することができる。また、掲載される記事に添付される画像データを蓄積情報として抽出するように指定することもできる。さらに、蓄積情報部分が識別可能なテンプレートを電子掲示板処理装置１０に登録しておき、電子掲示板に書き込みを行う参加者にはこのテンプレートを使って書き込みを行ってもらうようにしてもよい。テンプレートを用いることにより、参加者は特に意識することなく、蓄積情報と、蓄積する必要のない情報を分けて書き込むことができる。
【００２５】
以下、実施の形態として、記事のテンプレートを予め電子掲示板処理装置に登録しておき、テンプレートを用いて投稿された記事の情報を管理する情報管理システムについて説明する。以下の説明では、電子掲示板を単に掲示板とする。
【００２６】
まず、実施の形態のハードウェア構成について説明する。図２は、本実施の形態の掲示板処理装置のハードウェア構成例を示すブロック図である。
掲示板処理装置１００は、ＣＰＵ（Central Processing Unit）１０１によって装置全体が制御されている。ＣＰＵ１０１には、バス１０５を介してＲＡＭ（Random Access Memory）１０２、ハードディスクドライブ（ＨＤＤ：Hard Disk Drive）１０３、及び通信インタフェース１０４が接続されている。
【００２７】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションのプログラムが格納される。通信インタフェース１０４は、ネットワーク３０に接続されており、ネットワーク３０を介してクライアント装置２００との間でデータの送受信を行う。
【００２８】
クライアント装置２００のハードウェア構成は、掲示板処理装置１００と同様であり、さらに、モニタ２１０、キーボード２２０、及びマウス２３０が接続されている。モニタ２１０には、図示しないＣＰＵからの命令に従って画像が画面に表示される。また、キーボード２２０やマウス２３０から送られてくる信号は、図示しないバスを介してＣＰＵに送信される。
【００２９】
このようなハードウェア構成によって、本実施の形態の処理機能を実現することができる。
図３は、掲示板処理装置の主要部の構成を示した図である。
【００３０】
掲示板処理装置１００は、テンプレートＤＢ１１１、リンク情報ＤＢ１１２、コメント情報ＤＢ１１３、データ情報ＤＢ１１４、及びファイル情報ＤＢ１１５の記憶手段と、テンプレート設定部１２０、テンプレート登録部１３０、新規記事受付部１４０、記事解析部１５０、記事編集部１６０、及びデータ情報編集部１７０の各処理手段と、を有する。なお、図では、クライアントとのインタフェース処理部は省略されているが、図示しないインタフェース処理部によって、クライアント装置２００との間でデータ交換を行うことができる。
【００３１】
ここで、掲示板に投稿される記事は、データ情報と、コメント情報と、添付された画像データを含むファイル情報と、から構成されるとする。記事のどの部分がデータ情報であり、どの部分がコメント情報であるかは、テンプレート作成時に定義される。なお、データ情報、コメント情報、またはファイ情報は、記事に含まれない場合もある。
【００３２】
テンプレートＤＢ１１１には、掲示板で用いるテンプレートの定義情報が格納されている。リンク情報ＤＢ１１２には、管理下の掲示板について、選択されたテンプレート、掲示板と各記事との関係、記事間の関係、記事とコメント情報とデータ情報との関係などのリンク情報が格納されている。コメント情報ＤＢ１１３には、記事から抽出されたコメント情報が格納されている。データ情報ＤＢ１１４には、記事から抽出されたデータ情報が格納されている。データは、ＣＳＶ（Comma Separated Values）形式、表形式、ＸＭＬ（Extensible Markup Language）形式など、任意の形式で表記される。ファイル情報ＤＢ１１５には、記事から抽出された画像データなどのファイル情報が格納されている。なお、データ情報及びファイル情報は、複数の利用者で共有したい情報や、後で参照したい情報など、記事から抽出して管理したいとして利用者が蓄積対象に指定した蓄積情報である。データの種類は問わない。一方、コメント情報は、蓄積対象には指定せず、単にコメントとして残しておきたいような情報で、記事における蓄積情報を除いた部分を言う。したがって、コメント情報に数値データが含まれている場合や、画像データが含まれている場合もある。
【００３３】
テンプレート設定部１２０は、利用者が掲示板で使用するテンプレートを設定するための支援を行う。テンプレートとは、記事を、蓄積対象に指定される蓄積情報部と、蓄積対象に指定されないコメント情報部とに分け、それぞれの入力形式を定義したものを言う。具体的には、蓄積対象となるデータ情報入力用のデータ情報入力部及び画像データファイルなどの添付ファイルを指定するファイル指定入力部と、蓄積対象に指定されないコメント情報入力用のコメント情報入力部とが定義されている。掲示板を新たに作成する要求を受け付けたときは、テンプレートＤＢ１１１に格納される既登録のテンプレートを利用者に提示し、開設される掲示板に適したテンプレートを選択させる。選択されたテンプレートの定義情報と、この掲示板とを関連付けたリンク情報を生成し、リンク情報ＤＢ１１２に格納する。
【００３４】
利用者が新たなテンプレートの作成を要求する場合は、テンプレート登録部１３０を起動する。テンプレート登録部１３０は、新規テンプレートの作成を支援し、作成されたテンプレートは、テンプレートＤＢ１１１に登録する。なお、複数の参加者の情報を収集する場合などは、蓄積するデータの追加や削除など、参加者ごとにテンプレートをアレンジできるようにしてもよい。
【００３５】
新規記事受付部１４０は、利用者が掲示板に新規記事を書き込む際の支援を行う。掲示板に対する書き込み要求を受け付けたときは、リンク情報ＤＢ１１２に格納されるリンク情報に基づき、この掲示板に設定されたテンプレートの定義情報を取得する。そして、取得したテンプレートの定義情報を用いて、利用者が操作するクライアント装置２００のモニタ２１０にテンプレートを表示させるための情報をクライアント装置２００に提供する。具体的には、データ情報入力部、ファイル指定入力部、及びコメント情報入力部の各入力部が用意される。テンプレートに従って書き込まれた記事情報を取得したときは、記事解析部１５０を起動する。記事解析部１５０は、取得した記事情報をテンプレートの定義情報に基づいて解析し、記事情報を構成するコメント情報、データ情報、及びファイル情報を抽出し、それぞれのデータベースに振り分けて格納する。ここでは、コメント情報はコメント情報ＤＢ１１３、データ情報はデータ情報ＤＢ１１４、及びファイル情報はファイル情報ＤＢ１１５に格納して管理する。また、受け付けた記事と電子掲示板との関係、電子掲示板の他の記事との参照関係など記事に関するリンク情報に加え、受け付けた記事のコメント情報、データ情報、及びファイル情報を関連付けるリンク情報を生成し、リンク情報ＤＢ１１２に格納する。
【００３６】
記事編集部１６０は、掲示板の記事を所定の表示形式に編集し、クライアント装置２００へ送信する。リンク情報に基づき、１つの記事から抽出されたコメント情報、データ情報、及びファイル情報をそれぞれのデータベースから読み出し、これらを所定の形式で組み合わせた表示用の記事情報を生成する。そして、記事と他の記事との関係を示したリンク情報に基づいて、それぞれの記事を所定の形式に並べ、表示用に編集する。たとえば、記事を時系列に配置したり、参照関係に基づいてツリー型に配置したりする。
【００３７】
データ情報編集部１７０は、データ情報ＤＢ１１４に蓄積されたデータ情報、または、ファイル情報ＤＢ１１５に蓄積された画像データなどのファイル情報を抽出し、所定の表示形式に編集してクライアント装置２００へ送信する。データ情報編集部１７０では、掲示板に関し新規記事が投稿されるごとにデータ情報ＤＢ１１４、あるいはファイル情報ＤＢ１１５に格納され、蓄積されている複数のデータ情報あるいはファイル情報を、所定の条件に基づいて抽出する。そして、抽出されたデータ情報群、あるいはファイル情報群を所定の表示形式で一覧表示させる。
【００３８】
このような構成の掲示板処理装置１００では、予め用意されたテンプレートに従って入力された記事を受け付けると、受け付けた記事をテンプレートに基づいてデータ情報、コメント情報、またはファイル情報に分類し、それぞれのＤＢに格納して管理する。このように、記事情報をデータの種類に応じて分類・管理することにより、後で必要な情報を取り出すことも容易になり、情報の共有や有効活用が可能となる。掲示板処理装置１００の動作及び情報管理方法について説明する。
【００３９】
掲示板処理装置１００では、クライアント装置２００を介して入力される利用者の要求に応じて、各処理部が起動される。図４は、掲示板処理装置のメインの処理の流れを示したフローチャートである。
【００４０】
利用者は、クライアント装置２００を操作して、掲示板処理装置１００に処理要求を出力する。処理要求が入力されて、処理が開始される。
［ステップＳ０１］  利用者の処理要求が掲示板作成であるか否かをチェックし、掲示板作成の要求であれば、処理をステップＳ０２へ進める。掲示板作成の要求でなければ、処理をステップＳ０３に進める。
【００４１】
［ステップＳ０２］  利用者の処理要求が、新たに掲示板を作成する要求である場合には、テンプレート設定部１２０が起動され、新たに作成される掲示板で使用するテンプレートを設定し、掲示板を作成する掲示板作成処理が行われる。掲示板作成処理により、掲示板が利用するテンプレートが決定され、決定されたテンプレートの定義情報が、掲示板に対応付けて登録される。こうして、掲示板の利用が可能となり、処理を終了する。
【００４２】
［ステップＳ０３］  利用者の処理要求が掲示板の作成ではない場合、既に作成された既掲示板の操作要求であるかどうかが判定される。既掲示板の操作要求であれば、処理をステップＳ０４に進める。既掲示板の操作要求でなければ、データ情報、またはファイル情報の表示要求であると判定し、処理をステップＳ０５へ進める。
【００４３】
［ステップＳ０４］  利用者の要求が既掲示板の操作である場合、掲示板の記事情報を提供するとともに、記事の書き込みが行われたときは新規記事の受付処理を行う。既掲示板の操作要求が入力されたときは、記事編集部１６０が、この掲示板に関する記事情報を読み出し、クライアント装置２００に表示させるための編集処理を行い、表示情報を提供する。また、新規記事が書き込まれたときは、新規記事受付部１４０が、新規記事の受付処理を行う。要求された処理を行った後、処理を終了する。
【００４４】
［ステップＳ０５］  利用者の要求が蓄積情報の表示である場合、データ情報編集部１７０が、データ情報ＤＢ１１４またはファイル情報ＤＢ１１５から該当する蓄積情報（データ情報またはファイル情報）を抽出し、表示用に編集して、クライアント装置２００に送信する。要求された処理を行った後、処理を終了する。
【００４５】
以上の処理手順が実行されることにより、掲示板に投稿された記事を閲覧したり、その記事に対するコメントなどを投稿したりするコミュニケーション・ツールとしての利用に加え、記事から抽出されて蓄積されたデータ情報またはファイル情報を閲覧することができる。これにより、掲示板を情報ツールとして利用することが可能となる。以下、掲示板作成処理（Ｓ０２）、掲示板処理（Ｓ０４）、及び蓄積情報表示処理（Ｓ０５）の詳細を説明する。
【００４６】
（１）掲示板作成処理
掲示板の作成処理が開始されると、テンプレート設定部１２０が起動され、掲示板に用いるテンプレートの設定を支援する処理が行われる。テンプレート設定部１２０は、テンプレートＤＢ１１１に格納される既登録のテンプレートを選択するテンプレート選択画面をクライアント装置２００のモニタ２１０に表示させる。
【００４７】
図５は、テンプレート選択画面の一例である。「掲示板の作成要求」が入力されて表示される。
テンプレート選択（掲示板の作成）画面２１１には、ジャンル２１１１ａ、テンプレート名２１１１ｂ、及び備考２１１１ｃの各項目から成るテンプレート一覧２１１１が表示される。テンプレート一覧２１１１には、掲示板処理装置１００に既に登録されたテンプレート群２１１２に加え、「新規テンプレート作成要求」２１１３、及び「テンプレート不要」２１１４が設定されている。また、各行の左欄には、操作ボタンが表示される。「作成」２１１５は「テンプレートを作成する」に対応し、「作成」２１１５が操作されると、新規テンプレートの作成処理が開始される。「選択」２１１６は「テンプレート不要」２１１４に対応し、「選択」２１１６が操作されると、テンプレートなしで掲示板が作成される。既登録のテンプレートに対応する「選択」２１１７は、いずれかが操作されると、対応するテンプレートが選択される。たとえば、「今日の体重」の左の「選択」が操作されると、テンプレートＤＢ１１１に格納される「今日の体重」のテンプレートの定義情報が読み出される。
【００４８】
テンプレートが選択されると、そのテンプレートに設定されるデータ項目の一覧などが表示される。このとき、必要に応じてデータ項目の追加や削除などの変更を行い、利用者に適したデータ項目にカスタマイズすることができる。さらに、必要に応じて掲示板の記事の公開対象などの詳細な情報も設定することができる。なお、図５は、テンプレート選択画面の一例であり、既存のテンプレートの表示形式はどのようなものであってもよい。たとえば、テンプレートのサムネイルを表示し、サムネイルを参照して選択させるようにしてもよい。
【００４９】
ここで「作成」２１１５が操作され、「テンプレートを作成する」２１１３が選択された場合について説明する。「テンプレートを作成する」２１１３が選択されると、テンプレート作成画面が展開され、テンプレートを自由に設定することが可能となる。
【００５０】
図６は、テンプレート作成画面の一例である。テンプレートの「作成」が操作されて表示される。
テンプレート作成画面２１２では、テンプレートのジャンル入力欄２１２１、タイトル入力欄２１２２、データ項目一覧表２１２３など必要な項目を入力し、テンプレートを作成する。図の例のデータ項目一覧表２１２３では、登録するデータ項目について、その項目名２１２３ｂ、表示順２１２３ｃ、及び入力種別２１２３ｄを登録する。入力種別２１２３ｄは、対応するデータ項目が、文字データであるか、数値データであるか、あるいは別途用意されるリスト上のデータを指すポインタであるかなどの種別を示す情報であり、ドロップダウンリストに入力種別が用意されている。利用者は、その１つを選択して入力種別を決定する。利用者は、1行ずつ、任意のデータ項目を設定し、所望のテンプレートを作成する。たとえば、「体重」を設定したい場合は、項目名２１２３ｂに「体重」を入力して、入力種別２１２３ｄより「数値入力」を選択し、登録する。これにより、表示順３に相当する位置に、体重を数値で入力するための入力ボックスが表示される。
【００５１】
さらに、「利用可能範囲設定」２１２４などの項目を設定し、「登録」２１２５を操作すれば、入力した内容で作成されたテンプレートが登録され、使用可能となる。
また、修正したい場合には、登録されたテンプレートを読み出し、登録内容を表示させる。たとえば、データ項目一覧表２１２３の削除フラグ２１２３ａを設定し、「登録」２１２５を操作すれば、登録行の内容を削除することができる。
【００５２】
こうして、選択・編集されたテンプレートは、テンプレートＤＢ１１１に格納される。また、この掲示板のテンプレートとして設定されると、掲示板とテンプレートとを関連付けたリンク情報が生成され、リンク情報ＤＢ１１２に格納される。
【００５３】
次に、テンプレートＤＢ１１１に格納されるテンプレートの定義情報について説明する。
図７は、テンプレートの定義情報の一例を示した図である。
【００５４】
テンプレートの定義情報は、テンプレートのジャンルを示すジャンルデータ１１１０に関連付けてテンプレートＤＢ１１１に格納されている。テンプレートの定義情報には、データ項目を示したデータテンプレート１１１０ａと、表示形式を示したユーザインタフェース（以下、ＵＩとする）テンプレート１１１０ｂとがある。
【００５５】
登録データテンプレート１１１１は、掲示板に設定されたデータテンプレート１１１０ａの一例である。ここでは、図６のテンプレート作成画面で作成された「今日の体重テンプレート」を示している。図の登録データテンプレート１１１１の例では、データ項目として「名前」「日付」「体重」「体脂肪率」「摂取カロリー」「運動時間」が、数値データとして入力されることが設定されている。なお、「名前」の数値データはＩＤ番号である。
【００５６】
以上のように、掲示板を作成する際には、記事の情報を分類・管理するためのテンプレートを予め登録しておく。テンプレートは、既登録のテンプレートから所望のテンプレートを選択してもよいし、新たに作成してもよい。設定されたテンプレートは、掲示板処理が行われるときに、リンク情報に基づいて読み出されて使用される。
【００５７】
なお、上記の説明では、複数の数値データをデータ項目とする単一のテンプレートについて説明したが、テンプレートの構成は、これに限定されない。蓄積対象の情報に応じてテンプレートの構成は任意の設定することができる。
【００５８】
図８は、テンプレートの定義情報の他の例を示した図である。図は、データテンプレートの部分のみを示している。
「今日の食事のテンプレート」１１１２は、データ項目「食事」が、「食事リストのテンプレート」１１１３と関係付けられる階層構造を有している。図の例では、「今日の食事のテンプレート」１１１２の「食事」に対し、複数の「食事リストのテンプレート」１１１３がリンクされる。
【００５９】
ここで、テンプレート作成処理の処理手順について説明する。図９は、テンプレート作成処理の手順を示したフローチャートである。
掲示板作成の要求が入力されて処理が開始される。
【００６０】
［ステップＳ２１］  掲示板に設定するテンプレートの決定を支援するため、図５に示したテンプレート選択画面２１１をクライアント装置２００に表示させる。テンプレートＤＢ１１１に格納される既登録のテンプレートの定義情報を読み出し、テンプレートの定義情報に設定される「ジャンル」「テンプレート名」「備考」を抽出する。抽出された情報からテンプレート一覧２１１１の表示データを生成し、クライアント装置２００に送る。クライアント装置２００では、取得した表示データに基づく表示画面をモニタ２１０に出力し、テンプレート選択画面２１１を表示させる。
【００６１】
［ステップＳ２２］  操作入力を受け付けたとき、テンプレート選択画面２１１のテンプレート一覧２１１１からテンプレートを選択する操作が行われたかどうかを判定する。既登録のテンプレートが選択されたときは、処理をステップＳ２３に進める。既登録のテンプレートが選択されなかったときは、処理をステップＳ２４に進める。
【００６２】
［ステップＳ２３］  掲示板に設定するテンプレートが選択された場合、選択された選択テンプレートを表示画面に表示し、処理をステップＳ２６に進める。
［ステップＳ２４］  既登録のテンプレートが選択されなかったとき、テンプレートを新規作成する指示であるのかを判定する。新規作成の指示であるときは、処理をステップＳ２５に進める。新規作成の指示ではないときは、既登録テンプレートの選択でもないので、処理を終了する。作成される掲示板には、テンプレートは設定されてない。
【００６３】
［ステップＳ２５］  テンプレートの作成が指示されたときは、図６に示したテンプレート作成画面２１２を表示させ、新たなテンプレートの作成を支援する。これにより、新たなテンプレートが作成され、登録される。
【００６４】
［ステップＳ２６］  選択された既登録のテンプレート、または、新たに作成された新規テンプレートをこの掲示板のテンプレートに設定し、処理を終了する。
以上の処理手順が実行されることにより、掲示板作成時、掲示板の内容に応じたテンプレートが設定される。
【００６５】
（２）掲示板処理
掲示板処理は、掲示板の表示要求が入力されて処理が開始される。掲示板処理では、要求された掲示板に設定されているテンプレートの定義情報を読み出し、掲示板の入力部の表示画面を作成する。同時に、これまでに蓄積された記事の一覧を表示する表示部の表示画面を作成する。そして、入力部と表示部とを合わせた掲示板表示画面をクライアント装置２００に表示させる。以下、クライアント装置２００に表示される掲示板表示画面を入力部と表示部とに分けて説明する。
【００６６】
図１０は、掲示板表示画面を主に入力部を中心として示した図である。
掲示板表示画面２１３ａは、利用者が、蓄積対象とするデータ情報の入力とファイル情報の指定の入力、及び蓄積対象としないコメント情報の入力のための入力部２１３４と、これまでに掲示板に投稿された記事を表示するための表示部２１３５とを有する。また、操作ボタンとして、掲示板を表示させるための「掲示板」２１３１、蓄積されたデータ情報を表示させるための「データ一覧」２１３２、及び蓄積された画像データを表示させるための「画像一覧」２１３３がある。図では、選択されている操作ボタンは、（）で表されおり、ここでは「掲示板」が選択されている。データ一覧表示画面と、画像一覧表示画面については後述する。
【００６７】
入力部２１３４には、この掲示板に設定されているテンプレートに基づいて、データ情報、ファイル指定情報、及びコメント情報を入力する入力欄が表示される。入力部２１３４の表示画面は、主として図７に示した登録データテンプレート１１１１に基づいて生成されている。ここで、タイトルは、登録データテンプレート１１１１のテンプレート名に基づいて、「今日の体重」が設定されている。名前の入力欄２１３４ａには、投稿を行うユーザのＩＤが自動で設定されている。図では、ユーザＩＤに基づいてユーザ名「ユーザ１」が表示されている。データ登録有無のチェック欄２１３４ｂには、データ登録を行うか否かが設定される。チェック有が設定されたとき、データ情報の登録が行われる。日付の入力欄２１３４ｃには、本日の日付が、自動で設定されている。名前の入力欄２１３４ａ及び日付の入力欄２１３４ｃの値は、適宜変更することができる。
【００６８】
続く、画像２１３４ｄ及びファイル２１３４ｅは、蓄積対象のファイル指定情報を入力する入力欄であり、項目２１３４ｆは、蓄積対象のデータ情報を入力する入力欄である。画像２１３４ｄは、記事に添付される画像データファイルのファイル名と、タイトル名とが入力される。「アップロード」を操作すると、指定された画像データがファイル情報ＤＢ１１５に格納される。同様に、図表データなど画像データ以外のファイル情報もファイル名と、タイトル名とを入力し、ファイル情報ＤＢ１１５に格納することができる。項目２１３４ｆは、テンプレートに基づいて指定されたデータ項目と、この項目のデータを入力する入力欄とから成る。図の例では、「体重」「体脂肪率」「摂取カロリー」「運動時間」のデータ項目が設定できるようになっている。
【００６９】
コメント２１３４ｇは、蓄積対象ではないコメント情報を入力するための入力画面である。入力欄内に任意のコメントを入力することができる。
操作ボタン「書き込む」２１３４ｈは、入力部２１３４を用いて入力された情報を各ＤＢに書き込むときに操作する。「書き込む」２１３４ｈが操作されたときは、各入力欄に入力されたデータを、対応するＤＢに書き込む。項目２１３４ｆに入力されたデータは、日付２１３４ｃや名前２１３４ａとともに、データ情報ＤＢ１１４に格納される。コメント２１３４ｇに入力されたデータは、コメント情報ＤＢ１１３に格納される。画像２１３４ｄ及びファイル２１３４ｅで指定されたファイル情報は、ファイル情報ＤＢ１１５に格納される。また、入力されたデータ情報、ファイル情報、及びコメント情報を関連付けるリンク情報を生成し、リンク情報ＤＢ１１２に格納する。
【００７０】
次に、表示部２１３５について説明する。
図１１は、掲示板表示画面を主に表示部を中心として示した図である。図１０と同じものには同じ番号を付し説明は省略する。
【００７１】
掲示板表示画面２１３ｂは、図１０に示した掲示板表示画面２１３ａの下に連続して表示される画面である。表示部２１３５は、入力部２１３４の下に表示され、これまでに掲示板に投稿された記事が一覧表示されている。
【００７２】
図の例では、記事は時系列に並べられており、記事２１３５ａが時間的に最も新しい記事になり、記事２１３５ｂ、記事２１３５ｃ、記事２１３５ｄ、記事２１３５ｅの順に古くなる。
【００７３】
ここで、記事２１３５ａ，２１３５ｃは、参加者Ａが入力部２１３４のデータ登録有無のチェック欄２１３４ｂが、「無」に設定され、コメント２１３４ｇのみが入力されたときの記事表示である。また、記事２１３５ｂは、参加者Ｂが、コメント２１３４ｇには入力せず、項目２１３４ｆの各データ項目の値を入力し、データ登録有無のチェック欄２１３４ｂを「有」としたときの記事表示である。データ情報として設定された情報が、コメントと同様の書式に組み込まれており、データ項目の値を記事として確認することができる。記事２１３５ｄは、参加者Ｃが、データ情報及びコメント情報を入力した場合の記事表示の例である。当該記事に関連し、データ情報ＤＢ１１４で管理されるデータ項目の値と、コメント情報ＤＢ１１３で管理されるコメント情報のデータとが、それぞれのＤＢから読み出され、これを合わせて記事情報が生成される。
【００７４】
このように、別々のＤＢで管理されるデータ情報とコメント情報とが組み合わされ、１つの記事情報として表示される。したがって、表示部２１３５によれば、これまでの話の流れを確認しながら、新たにコメントを繋いでいくという、従来のコミュニケーション・ツールとしての掲示板と同様の機能を実現する。
【００７５】
なお、図では、表示部２１３５の記事を時系列で並べて表示しているが、記事同士の参照関係に応じて並べることもできる。この場合、記事登録時に生成される掲示板と記事との関係、あるいは、この記事と他の記事との関係を記述したリンク情報を読み出し、リンク情報に基づいて記事の並び替えを行う。
【００７６】
図１２は、掲示板表示画面の表示処理の手順を示したフローチャートである。掲示板が指定され、処理が開始される。
［ステップＳ４１］  指定された掲示板に設定されているテンプレートをテンプレートＤＢ１１１から読み出す。掲示板にテンプレートが設定されていないとき、あるいは、指定されたテンプレートが検出できなかったときは、テンプレートなしを設定する。
【００７７】
［ステップＳ４２］  ステップＳ４１でテンプレートが読み出せたかどうかを判定する。読み出せたときは、処理をステップＳ４３に進める。テンプレートなしのときは、処理をステップＳ４４に進める。
【００７８】
「ステップＳ４３」  掲示板にテンプレートが設定されていたときは、読み出されたテンプレートに基づいて掲示板表示画面の入力部表示画面を作成し、処理をステップＳ４５に進める。これにより、テンプレートに基づき、データ情報の入力欄と、ファイル情報のファイル指定欄と、コメント情報の入力欄とを有する入力部表示画面が作成される。
【００７９】
［ステップＳ４４］  掲示板にテンプレートが設定されていないときは、コメント情報のみの入力部表示画面を作成する。
［ステップＳ４５］  掲示板に投稿された記事ごとにリンク情報を読み出し、この記事に対応するコメント情報、データ情報、及びファイル情報を読み出し、この記事を表示するための表示用の記事情報を作成する。読み出したコメント情報、データ情報、及びファイル情報を所定の形式に並べ、記事画面を構成する。なお、いずれかの情報がないときは、これを除いて記事画面を構成する。この処理を記事ごとに実行する。
【００８０】
［ステップＳ４６］  ステップＳ４５で作成された表示用の記事情報を、記事間の関係を記述したリンク情報に基づいて並べ、表示部の表示画面を作成する。
［ステップＳ４７］  これまでの処理により作成された入力部の表示画面と、表示部の表示画面とを合成して掲示板表示画面を作成し、クライアント装置へ送信する。
【００８１】
以上の処理手順が行われることにより、図１０、図１１に示したような掲示板表示画面２１３ａ，２１３ｂがクライアント装置に表示される。
次に、掲示板表示画面２１３ａの入力部２１３４にデータを入力し、操作ボタン「書き込む」２１３４ｈが操作されたときの処理について説明する。
【００８２】
図１３は、掲示板表示画面から入力データが設定されたときの処理手順を示したフローチャートである。
［ステップＳ５１］  書き込み要求がされた掲示板に設定されているテンプレートの定義情報を読み出す。
【００８３】
［ステップＳ５２］  読み出されたテンプレートに基づき、入力部２１３４の情報を解析する。テンプレートに基づく入力部２１３４解析により、ファイル情報が蓄積対象に指定されているかどうかを判定する。指定されているときは、処理をステップＳ５３に進める。指定されていないときは、処理をステップＳ５４に進める。
【００８４】
［ステップＳ５３］  ファイル情報が指定されているので、指定されたファイル情報をファイル情報ＤＢへ格納する。
［ステップＳ５４］  テンプレートに基づく入力部２１３４解析により、蓄積対象のデータ情報が入力されているかどうかを判定する。入力されているときは、処理をステップＳ５５に進める。入力されていないときは、処理をステップＳ５６に進める。
【００８５】
［ステップＳ５５］  蓄積対象のデータ情報が入力されているので、入力されたデータ情報をデータ情報ＤＢへ格納する。
［ステップＳ５６］  テンプレートに基づく入力部２１３４解析により、コメント情報が入力されているかどうかを判定する。入力されているときは、処理をステップＳ５７に進める。入力されていないときは、処理をステップＳ５８に進める。
【００８６】
［ステップＳ５７］  コメント情報が入力されているので、入力されたコメント情報をコメント情報ＤＢへ格納する。
［ステップＳ５８］  各ＤＢに格納されたファイル情報、データ情報、及びコメント情報をこの記事と関連付けたリンク情報を生成し、リンク情報ＤＢ１１２に格納する。これとともに、この記事と掲示板、あるいは、この記事と掲示板の他の記事とを関係づけたリンク情報も生成し、リンク情報ＤＢ１１２に格納する。
【００８７】
以上の処理手順が実行されることにより、テンプレートに従って、ファイル情報、データ情報、及びコメント情報と、種別に応じて分離された各情報が、それぞれのＤＢに格納される。
【００８８】
（３）蓄積情報表示処理
掲示板表示画面２１３ａ，２１３ｂでは、最初に、入力部２１３４と表示部２１３５とが表示される「掲示板」表示画面が表示される。この状態で、「データ一覧」２１３２が操作されると、表示画面は、データ情報が表示される掲示板表示画面（データ一覧）に遷移する。
【００８９】
図１４は、掲示板表示画面（データ一覧）の一例を示した図である。
掲示板表示画面（データ一覧）２１３ｃには、この掲示板において蓄積されたデータ情報がデータ情報ＤＢ１１４から抽出され、所定の形式で表示される。図の例の表示画面では、抽出したデータをグラフ化して表示するグラフ部２１３６と、一覧表にして表示するデータ部２１３７とを有している。
【００９０】
グラフ部２１３６では、データ情報ＤＢ１１４に格納される掲示板「今日の体重」のデータについて、参加者Ｃの最新２０件の体重データが棒グラフで表示されている。データ情報編集部１７０では、条件（掲示板「今日の体重」の参加者Ｃに関する最新２０件の体重データ）をデータ情報ＤＢ１１４から抽出し、グラフを作成する。なお、表示するデータの件数、及び対象者、表示項目などは、任意に設定することができる。
【００９１】
データ部２１３７では、参加者Ｃの最新のデータ４件が表形式で表示されている。
このような掲示板処理装置１００では、所望のデータ情報のみを抽出して表示することができる。この結果、所望の情報を記事情報の一覧表示から探すというような煩雑な操作をすることなく、情報解析などが行える。このように、情報ツールとしても利便性の高い掲示板処理装置が提供される。
【００９２】
この状態から、「画像一覧」２１３３が操作されると、表示画面は、画像データが表示される掲示板表示画面（画像一覧）に遷移する。なお、「掲示板」２１３１が操作されると、表示画面は、掲示板表示画面２１３ａ、２１３ｂに遷移する。
【００９３】
図１５は、掲示板表示画面（画像一覧）の一例を示した図である。
掲示板表示画面（画像一覧）２１３ｄには、この掲示板において蓄積された画像データがファイル情報ＤＢ１１５から抽出され、所定の形式で表示される。
【００９４】
画像一覧部２１３８では、抽出された画像データのサムネイルと、画像データに設定されたタイトルなどの情報とが表示される。画像データのサムネイルを選択すると、本来の画像データが表示される。なお、ここでは、画像データについて説明したが、他のファイル情報でも同様に一覧表示される。
【００９５】
この状態から、「データ一覧」２１３２が操作されると、表示画面は、掲示板表示画面（データ一覧）に遷移し、「掲示板」２１３１が操作されると、掲示板表示画面２１３ａ、２１３ｂに遷移することは同様である。
【００９６】
このような掲示板処理装置１００では、掲示板に投稿された記事に添付された画像データのみを抽出して一覧表示することができる。これにより、記事を１つずつ確認して所望の画像データを探すなどの煩雑な操作をすることなく、所望の情報を得ることができる。
【００９７】
なお、上記の処理機能は、コンピュータによって実現することができる。その場合、電子掲示板処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【００９８】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００９９】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１００】
（付記１）  電子掲示板に投稿された情報を管理する電子掲示板処理装置において、
予め規定された形式によって蓄積対象の蓄積情報が記述されて所定の電子掲示板に書き込まれた新規記事を受け付ける新規記事受付手段と、
前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する記事解析手段と、
前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する記事情報提供手段と、
前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する蓄積情報提供手段と、
を有することを特徴とする電子掲示板処理装置。
【０１０１】
（付記２）  前記予め規定された形式は、前記蓄積情報の前と後に所定の記号が設定される形式であり、前記記事解析手段は、前記新規記事に設定される前記所定の記号を検出し、前記所定の記号によって挟まれた範囲を前記蓄積情報として抽出する、ことを特徴とする付記１記載の電子掲示板処理装置。
【０１０２】
（付記３）  前記予め規定された形式は、画像データを含む所定の形式の添付ファイルであり、前記記事解析手段は、前記新規記事に添付される前記所定の形式の添付ファイルを前記蓄積情報として抽出する、ことを特徴とする付記１記載の電子掲示板処理装置。
【０１０３】
（付記４）  利用者が前記電子掲示板を作成するときに、前記電子掲示板に書き込まれる前記新規記事の入力書式を、前記蓄積情報に指定される蓄積情報部と、前記蓄積情報に指定されないコメント情報部とに分けて定義したテンプレートを前記利用者に設定させ、設定された前記テンプレートを前記電子掲示板に関連付けてテンプレート記憶手段に格納するテンプレート設定手段をさらに有し、
前記新規記事受付手段は、前記新規記事の書き込み要求を受け付けると、前記電子掲示板に設定される前記テンプレートを前記テンプレート記憶手段から抽出し、抽出された前記テンプレートに基づいて前記蓄積情報を入力するための蓄積情報入力部と、前記コメント情報を入力するためのコメント情報入力部とを有する記事入力画面を提供し、
前記記事解析手段は、前記テンプレートに基づいて前記蓄積情報入力部に入力された情報を前記蓄積情報記憶手段に格納し、前記コメント情報入力部に入力された情報を前記記事情報記憶手段に格納するとともに、前記蓄積情報と前記コメント情報とを前記新規記事に関連付けたリンク情報を生成し、前記記事情報記憶手段に格納する、
ことを特徴とする付記１記載の電子掲示板処理装置。
【０１０４】
（付記５）  前記テンプレート設定手段は、前記テンプレート記憶手段に格納される既登録のテンプレートを読み出し、前記既登録のテンプレートの一覧を前記利用者に提供し、前記既登録のテンプレートの一覧から所望の前記テンプレートを前記利用者に選択させ、選択された前記テンプレートを当該電子掲示板に設定されるテンプレートとする、ことを特徴とする付記４記載の電子掲示板処理装置。
【０１０５】
（付記６）  前記テンプレートは、前記蓄積情報入力部に関し、前記蓄積情報として入力される情報群の個々の情報項目と、前記情報項目の表すデータ種別と、を定義し、
前記テンプレート設定手段は、必要に応じて任意の前記情報項目と前記データ種別とを登録させて新規テンプレートを作成させ、作成された前記新規テンプレートを前記テンプレート記憶手段に格納して登録する、
ことを特徴とする付記５記載の電子掲示板処理装置。
【０１０６】
（付記７）  前記蓄積情報入力部は、蓄積対象の画像データを含む所定の形式の添付ファイルを指定するファイル指定入力部と、蓄積対象の所定のデータを入力するデータ入力部と、を有し、
前記記事解析手段は、前記テンプレートに基づいてファイル指定入力部に入力された前記ファイル情報をファイル情報記憶手段に格納し、前記データ入力部に入力された前記データをデータ情報記憶手段に格納する、
ことを特徴とする付記４記載の電子掲示板処理装置。
【０１０７】
（付記８）  前記記事情報提供手段は、所定の記事の前記リンク情報を読み出し、前記リンク情報に基づいて対応する前記蓄積情報と前記コメント情報とを抽出し、前記蓄積情報と前記コメント情報とを合わせて表示用の記事情報を生成し、前記記事情報を前記関係情報に基づいて編集した表示画面を作成し、前記要求元へ提供する、
ことを特徴とする付記４記載の電子掲示板処理装置。
【０１０８】
（付記９）  前記蓄積情報提供手段は、前記電子掲示板に関する前記新規記事が投稿されるごとに前記蓄積情報記憶手段に格納された蓄積情報を所定の条件で抽出し、抽出された蓄積情報群を前記所定の蓄積情報提供形式に編集し、前記蓄積情報群の情報を一覧表示させる表示画面を作成し、前記要求元へ提供する、
ことを特徴とする付記４記載の電子掲示板処理装置。
【０１０９】
（付記１０）  前記蓄積情報提供手段は、前記蓄積情報の種別が数値データである場合には、必要に応じて、前記蓄積情報群の数値データをグラフ化した表示画面を作成し、前記要求元へ提供する、
ことを特徴とする付記９記載の電子掲示板処理装置。
【０１１０】
（付記１１）  前記蓄積情報提供手段は、前記蓄積情報の種別が画像データである場合には、必要に応じて、前記蓄積情報群の画像データのサムネイルを並べた表示画面を作成し、前記要求元へ提供する、
ことを特徴とする付記９記載の電子掲示板処理装置。
【０１１１】
（付記１２）  電子掲示板に投稿された情報を管理する情報管理処理をコンピュータに実行させるための情報管理プログラムにおいて、
コンピュータを、
予め規定された形式によって蓄積対象の蓄積情報が記述されて所定の電子掲示板に書き込まれた新規記事を受け付ける新規記事受付手段、
前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する記事解析手段、
前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する記事情報提供手段、
前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する蓄積情報提供手段、
として機能させることを特徴とする情報管理プログラム。
【０１１２】
（付記１３）  電子掲示板に投稿された情報を管理する情報管理方法において、
新規記事受付手段が、予め規定された形式によって蓄積対象の蓄積情報が記述されて所定の電子掲示板に書き込まれた新規記事を受け付ける手順と、
記事解析手段が、前記新規記事を解析して、前記予め規定された形式で記述される蓄積情報を抽出し、抽出された前記蓄積情報を蓄積情報記憶手段に格納するとともに、前記新規記事と、前記電子掲示板または既存の記事と、の関係を記述した関係情報を生成し、前記新規記事とともに記事情報記憶手段に格納する手順と、
記事情報提供手段が、前記電子掲示板に投稿された記事の提供が要求されたときは、前記電子掲示板の記事及び前記関係情報を前記記事情報記憶手段から読み出し、前記関係情報に基づいて前記記事を所定の記事提供形式に編集して要求元へ提供する手順と、
蓄積情報提供手段が、前記電子掲示板に投稿された記事から抽出された前記蓄積情報の提供が要求されたときは、前記電子掲示板に関する蓄積情報を前記蓄積情報記憶手段から抽出し、抽出された前記蓄積情報を所定の蓄積情報提供形式に編集して要求元へ提供する手順と、
を有することを特徴とする情報管理方法。
【図面の簡単な説明】
【０１１３】
【図１】実施の形態に適用される電子掲示板処理装置の概略を示した図である。
【図２】本実施の形態の掲示板処理装置のハードウェア構成例を示すブロック図である。
【図３】掲示板処理装置の主要部の構成を示した図である。
【図４】掲示板処理装置のメインの処理の流れを示したフローチャートである。
【図５】テンプレート選択画面の一例である。
【図６】テンプレート作成画面の一例である。
【図７】テンプレートの定義情報の一例を示した図である。
【図８】テンプレートの定義情報の他の例を示した図である。
【図９】テンプレート作成処理の手順を示したフローチャートである。
【図１０】掲示板表示画面を主に入力部を中心として示した図である。
【図１１】掲示板表示画面を主に表示部を中心として示した図である。
【図１２】掲示板表示画面の表示処理の手順を示したフローチャートである。
【図１３】掲示板表示画面から入力データが設定されたときの処理手順を示したフローチャートである。
【図１４】掲示板表示画面（データ一覧）の一例を示した図である。
【図１５】掲示板表示画面（画像一覧）の一例を示した図である。
【図１６】従来の電子掲示板の一例を示した図である。
【符号の説明】
【０１１４】
１０  電子掲示板処理装置
１１  記憶手段
１１ａ  記事情報データベース（ＤＢ）
１１ｂ  蓄積情報データベース（ＤＢ）
１２  新規記事受付手段
１３  記事解析手段
１４  記事情報提供手段
１５  蓄積情報提供手段
【図１】
2009230646.tif 000003
【図２】
2009230646.tif 000004
【図３】
2009230646.tif 000005
【図４】
2009230646.tif 000006
【図５】
2009230646.tif 000007
【図６】
2009230646.tif 000008
【図７】
2009230646.tif 000009
【図８】
2009230646.tif 000010
【図９】
2009230646.tif 000011
【図１０】
2009230646.tif 000012
【図１１】
2009230646.tif 000013
【図１２】
2009230646.tif 000014
【図１３】
2009230646.tif 000015
【図１４】
2009230646.tif 000016
【図１５】
2009230646.tif 000017
【図１６】
2009230646.tif 000018